(57)【特許請求の範囲】
【請求項１】
筒状樋本体の内壁面に筒軸方向の凹溝を設け、この凹溝に棒状の弾性体を収納したことを特徴とする竪樋装置。
【発明の詳細な説明】
【０００１】
【発明の属する技術分野】
この発明は寒冷地における雨水の凍結破壊が防止できる竪樋装置に関する。
【０００２】
【従来の技術】
従来、竪樋は、硬質塩化ビニル樹脂、アルミニウム、銅、鉄などから筒状に形成されたものであるが、寒冷地では、竪樋を家屋の外に設けると、冬季に竪樋の中に流れ込む雨水が凍結して膨張し、竪樋を破損するという問題があった。
【０００３】
この問題を解消する竪樋としては、例えば、実公昭５４−９６１４号公報や実開昭５７−１１０２３２号公報等に記載されているように、竪樋本体の外周面にに沿ってヒーターが取り付けられているものや、実公昭５４−４４８１９号公報に記載されているように、竪樋本体の内部にヒーターが挿入されているものが知られている。
【０００４】
また、特開昭６２−１７２５８号公報等に記載されているように、筒状の弾性発泡体を竪樋本体内に挿入した竪樋が知られている。さらに、特開昭６３−２８４３５１号公報等に記載されているように、竪樋本体内に紐状の弾性発泡体を挿入した竪樋が知られている。
【０００５】
【発明が解決しようとする課題】
しかし、上記のヒーターが用いられる従来の竪樋は、このヒーターを効率的に取り付けるための工夫が必要となって構造が複雑になり、外気の温度に対応して自動的に電源をＯＮ、ＯＦＦできる制御装置が必要となり、また電熱費が嵩んでコスト高になるし、さらに停電時にはヒーターによる凍結防止機能が発揮されないという問題があった。
【０００６】
また、筒状の弾性発泡体を竪樋本体内に挿入する竪樋にあっては、この筒状弾性発泡体を成形するにあたり、竪樋の形状及び寸法毎に対応して成形しなければならず、手間を要しコスト高となるという問題があった。
【０００７】
さらに、紐状の弾性発泡体を竪樋本体内に挿入するものにあっては、ヒーターを必要とせず、また筒状弾性発泡体を竪樋の形状及び寸法毎に対応して成形するような手間がかからないといった利点があるが、紐状の弾性発泡体の挿入によって竪樋本体の内部空間が狭められ、紐状の弾性発泡体と竪樋本体の内周面との間に落ち葉が詰まり、そこに順次落ち葉が堆積し、遂には雨水流路が詰まってしまうという問題があった。
【０００８】
この発明は、上述のような従来技術の欠点を解消し、雨水とともに流れ込む落ち葉等が詰まることがなく、雨水の凍結による竪樋の破壊を防止できる竪樋装置を提供することを目的とする。
【０００９】
【課題を解決するための手段】
この発明の竪樋装置は、筒状樋本体の内壁面に筒軸方向の凹溝を設け、この凹溝に棒状の弾性体を収納したことを特徴とするものであり、このことにより上記目的が達成される。
【００１０】
この発明において、筒状樋本体とは、円筒状、角筒状のいわゆる竪樋や呼樋等の樋体のみならず、いわゆる曲成継手、竪樋継手等の竪樋部品をも含むものであり、筒状樋本体の材質としては、硬質塩化ビニル樹脂などのプラスチック、アルミニウム、銅、鉄などの金属素材或いはこれらの素材の２種以上を互いに積層することや混在させるなどした複合素材など、従来竪樋に用いられる材質が使用できる。
【００１１】
また、棒状の弾性体としては、合成樹脂発泡体、ゴム、エラストマー等の円柱状体、角柱状体等があげられ、圧縮による体積収縮率が１０％以上であるものが好ましい。例えば、２０〜３０倍程度に発泡した独立気泡構造の直径２５ｍｍ程度の棒状のポリエチレン発泡体などが好適に用いられる。
【００１２】
また、筒状樋本体の内壁面に設ける凹溝としては、筒壁を屈曲させることによって凹溝を形成することが好ましく、この凹溝の断面形状は、そこに収納する弾性体の断面形状に対応する形状とするのが好ましい。筒状の弾性体は単に凹溝に挿入するだけでもよく、凹溝部の壁面に接着する等してもよい。
【００１３】
【作用】
この発明の竪樋装置においては、筒状樋本体内を流れる雨水が凍結して体積膨張したとしても、その膨張分を弾性体が収縮して吸収し、筒状樋本体が破壊しない。また、棒状の弾性体は筒状樋本体の内壁面の凹溝に収納されているので、筒状樋本体の内面空間の断面は一定であり、従来の紐状の弾性体を挿入することによって狭められるようなことががなく、雨水に混入して流れる落ち葉等が詰まることがない。
【発明の実施の形態】
以下、この発明の竪樋装置の実施の形態を図面を参照して説明する。
【００１４】
図１はこの発明の竪樋装置の一例を示すもので、（イ）は一部切欠正面図、（ロ）は（イ）のＡーＡ線における拡大断面図である。
【００１５】
１はこの発明の竪樋装置であり、竪樋本体１１、呼樋本体１２、竪樋継手１３及び曲成継手１４から構成される筒状樋本体１０と、この筒状樋本体１０の内部に収納される棒状の弾性体２からなる。
【００１６】
筒状樋本体１０は、竪樋本体１１同士が竪樋継手１３で接続され、呼樋本体１２がその一端は竪樋本体１１の上端に曲成継手１４を介して接続され、他端が集水器５の排水口に曲成継手１４を介して接続されて構成されている。
なお、集水器５は建物３の軒先に配設された軒樋３に接続されている。
【００１７】
竪樋本体１１は硬質塩化ビニル樹脂で製せられ、図１（ロ）に示すとおり、円筒の筒壁を屈曲させることによりその内周面に筒軸方向の凹溝１１１を形成させたものである。また、呼樋１２、竪樋継手１３、曲成継手１４も同様に硬質塩化ビニル樹脂で製せられ、いずれもその内周面に上記竪樋本体１１の凹溝１１１に連通する凹溝１２１、１３１、１４１を形成したものである。
【００１８】
これらの凹溝１１１、１２１、１３１、１４１に棒状の弾性体２が収納されている。この棒状の弾性体２は、発泡倍率がほぼ３０倍であって、独立気泡構造の直径２５ｍｍ程度のポリエチレン発泡ロッドからなるものである。なお、このポリエチレン発泡ロッドは屈曲可能であるので、曲成継手１４の曲成部分でもその屈曲度に対応して屈曲して収納できる。
【００１９】
上記のこの発明の竪樋装置においては、ポリエチレン発泡ロッドからなる棒状の弾性体２が、筒状方向に設けた凹溝１１１、１２１、１３１、１４１に収納されているので、筒状樋本体１０の内部の断面積は一定であり、紐状の弾性体を竪樋本体内に単に挿入した場合のように、筒状樋本体の内周面と紐状の弾性体との間に狭いところができたりするようなことがない。
したがって、建物３の屋根から軒樋４に流れ、集水器５に集められ、呼樋１２や竪樋１１を流れる雨水に落ち葉等が混入してきても、落ち葉等が筒状樋本体１０の内周面とポリエチレン発泡ロッドとの間に詰まることがない。
【００２０】
図２は、この発明の竪樋装置の他の実施例を示すもので、その竪樋部の横断面図である。
この実施例は、図１に示す実施例と比較すると、図１の実施例では筒状樋本体が円筒状であって、棒状の弾性体が円柱状のポリエチレン発泡ロッドからなるのに対し、筒状樋本体が角筒状であって、棒状の弾性体として断面形状が長方形のポリエチレン発泡体が使用されていること以外は図１に示す実施例と同様である。
【００２１】
すなわち、竪樋本体１１ａは角筒状であって、その一辺に角溝状の凹溝１１１ａが形成され、この凹溝１１１ａに棒状の弾性体２ａとして断面形状が長方形のポリエチレン発泡体が収納されている。筒状樋本体を構成するその他の呼樋、竪樋継手、曲成継手も、図示していないが竪樋本体１１ａと同様に角筒状であって内周面に凹溝１１１ａに連通する角溝状の凹溝が設けられ、断面形状が長方形のポリエチレン発泡体からなる棒状の弾性体２ａが収納されている。その他の部分は、図１の実施例と同じであるので説明は省略する。
【００２２】
【発明の効果】
この発明の竪樋装置においては、筒状樋本体内を流れる雨水が凍結して体積膨張したとしても、その膨張分は弾性体が収縮して吸収するので、竪樋装置は破壊しない。また、棒状の弾性体は筒状樋本体の内壁面の凹溝に収納されているので、筒状樋本体の内部の断面積は一定であり、雨水に落ち葉等が混入してきても、落ち葉等は筒状樋本体の内周面と棒状の弾性体との間に詰まることがなく、雨水排水機能が損なわれない。
【図面の簡単な説明】
【図１】この発明の竪樋装置の一例を示すもので、（イ）は一部切欠正面図、（ロ）は（イ）のＡーＡ線における拡大断面図である。
【図２】この発明の竪樋装置の他の実施例の竪樋部の横断面図である。
【符号の説明】
１        竪樋装置
１０      筒状樋本体
１１、１１ａ  竪樋本体
１１１、１１１ａ  凹溝
１２      呼樋本体
１３      竪樋継手
１４      曲成継手
２        棒状弾性体
３        建物
４        軒樋
５        集水器
【図１】
0003779029.tif 000002
【図２】
0003779029.tif 000003